(57)【特許請求の範囲】
【請求項１】
ケースと、このケースに支持軸によって回転可能に取り付けられた蓋体と、前記支持軸を中心に前記蓋体と共に回転する連動歯車と、この連動歯車に噛み合って回転するダンパー歯車を有して前記連動歯車の回転を制動するダンパー部材とを備えた蓋開閉装置において、
下端部が前記ケースに回転自在に取り付けられるとともに上部に前記ダンパー部材が取り付けられ、前記ダンパー歯車を前記連動歯車に対して接離方向に遥動可能にガイドするリンク部材を有し、
前記連動歯車は、その歯部のピッチ円の中心から偏心した位置が前記支持軸によって支持され、前記鍵盤蓋が閉じる途中の状態のときに前記支持軸から歯部までの距離が短く、前記鍵盤蓋が閉じ終わるまでの状態のときに前記支持軸から歯部までの距離が徐々に長くなることを特徴とする蓋開閉装置。
【請求項２】
前記連動歯車は、円形状の一部からなるほぼ扇形状に形成され、前記歯部の前記ピッチ円の中心から前記ほぼ扇形状の中間に位置する前記歯部に向けて偏った位置が前記支持軸によって支持されていることを特徴とする請求項１に記載の蓋開閉装置。
【請求項３】
前記連動歯車は、渦巻き状の一部からなるほぼ扇形状に形成され、前記歯部の前記ピッチ円が渦巻き状をなし、この渦巻き状の前記ピッチ円の中心から小径側に位置する前記歯部に向けて偏った位置が前記支持軸に支持されていることを特徴とする請求項１に記載の蓋開閉装置。
【請求項４】
前記ダンパー部材の前記ダンパー歯車を前記連動歯車の前記歯部に弾力的に押し付けて噛み合わせるための付勢部材を備えていることを特徴とする請求項１〜請求項３のいずれかに記載の蓋開閉装置。
【発明の詳細な説明】
【技術分野】
【０００１】
この発明は、電子ピアノや電子オルガンなどの鍵盤楽器または音響機器などに用いられる蓋開閉装置に関する。
【背景技術】
【０００２】
従来、蓋開閉装置においては、特許文献１に記載されているように、ケースに蓋体を支持軸によって回転可能に取り付け、この蓋体に歯車部を設け、この歯車部に噛み合って回転するダンパー歯車を有するダンパー部材を歯車部の外周に沿って移動可能に取り付けた構成のものが知られている。
【先行技術文献】
【特許文献】
【０００３】
【特許文献１】特開平０６−３３９７２号公報
【０００４】
この種の蓋開閉装置は、蓋体を開閉する際に、その初期状態からダンパー部材が蓋体の回転に伴って歯車部の外周に沿って移動することにより、ダンパー部材のダンパー機能を不能にし、その後ダンパー部材の移動を阻止して蓋体に対するダンパー機能を発揮させるように構成されている。
【発明の概要】
【発明が解決しようとする課題】
【０００５】
しかしながら、このような従来の蓋開閉装置では、蓋体を開く際に、その初期状態からダンパー部材が蓋体の回転に伴って歯車部の外周に沿って移動することにより、ダンパー部材のダンパー機能を不能にしているので、蓋体を開き始める際に、蓋体を容易に開くことができても、蓋体を閉じる際には、蓋体の重量によって蓋体が急激に閉じるため、蓋体の重量が重いと、手や指を挟んで怪我をする危険性がある。
【０００６】
この発明が解決しようとする課題は、蓋体の開閉操作性が良く、安全に蓋体を閉じることができる蓋開閉装置を提供することである。
【課題を解決するための手段】
【０００７】
この発明は、上記課題を解決するために、次のような構成要素を備えている。
請求項１に記載の発明は、ケースと、このケースに支持軸によって回転可能に取り付けられた蓋体と、前記支持軸を中心に前記蓋体と共に回転する連動歯車と、この連動歯車に噛み合って回転するダンパー歯車を有して前記連動歯車の回転を制動するダンパー部材とを備えた蓋開閉装置において、下端部が前記ケースに回転自在に取り付けられるとともに上部に前記ダンパー部材が取り付けられ、前記ダンパー歯車を前記連動歯車に対して接離方向に遥動可能にガイドするリンク部材を有し、前記連動歯車は、その歯部のピッチ円の中心から偏心した位置が前記支持軸によって支持され、前記鍵盤蓋が閉じる途中の状態のときに前記支持軸から歯部までの距離が短く、前記鍵盤蓋が閉じ終わるまでの状態のときに前記支持軸から歯部までの距離が徐々に長くなることを特徴とする蓋開閉装置である。
【０００８】
請求項２に記載の発明は、前記連動歯車が、円形状の一部からなるほぼ扇形状に形成され、前記歯部の前記ピッチ円の中心から前記ほぼ扇形状の中間に位置する前記歯部に向けて偏った位置が前記支持軸によって支持されていることを特徴とする請求項１に記載の蓋開閉装置である。
【０００９】
請求項３に記載の発明は、前記連動歯車が、渦巻き状の一部からなるほぼ扇形状に形成され、前記歯部の前記ピッチ円が渦巻き状をなし、この渦巻き状の前記ピッチ円の中心から小径側に位置する前記歯部に向けて偏った位置が前記支持軸に支持されていることを特徴とする請求項１に記載の蓋開閉装置である。
【００１０】
請求項４に記載の発明は、前記ダンパー部材の前記ダンパー歯車を前記連動歯車の前記歯部に弾力的に押し付けて噛み合わせるための付勢部材を備えていることを特徴とする請求項１〜請求項３のいずれかに記載の蓋開閉装置である。
【発明の効果】
【００１２】
この発明によれば、蓋体を開閉する際に、ダンパー部材によって蓋体の回転動作を制動することができると共に、蓋体を閉じる際に、その閉じている途中の状態では、蓋体に対するダンパー部材の制動力を弱めることができ、蓋体が閉じ終わるまでの状態のときには、蓋体に対するダンパー部材の制動力を徐々に強めることができる。このため、蓋体が閉じ終わるときに、蓋体をゆっくり閉じることができるので、蓋体の開閉操作性が良く、蓋体で手や指を挟んで怪我をすることがなく、安全に蓋体を閉じることができる。
【図面の簡単な説明】
【００１３】
【図１】この発明を鍵盤楽器に適用した実施形態１を示した断面図である。
【図２】図１に示された鍵盤楽器の要部を示した拡大断面図である。
【図３】図２に示された鍵盤楽器における連動歯車を示した拡大正面図である。
【図４】図２に示された鍵盤楽器におけるダンパー部材の取付構造を示し、（ａ）はその一部を破断して示した拡大図、（ｂ）は（ａ）のＡ−Ａ矢視における拡大断面図である。
【図５】図１に示された鍵盤楽器において鍵盤蓋を所定角度に開いた状態を示した断面図である。
【図６】図５に示された鍵盤楽器において鍵盤蓋を完全に開いた状態を示した断面図である。
【図７】この発明を鍵盤楽器に適用した実施形態２を示した断面図である。
【図８】図７に示された鍵盤楽器の要部を示した拡大断面図である。
【図９】図８に示された鍵盤楽器におけるダンパー部材の取付構造を示し、（ａ）はその一部を示した拡大図、（ｂ）は（ａ）のＢ−Ｂ矢視において一部を破断して示した拡大図である。
【図１０】図７に示された鍵盤楽器において鍵盤蓋を所定角度に開いた状態を示した断面図である。
【図１１】図１０に示された鍵盤楽器において鍵盤蓋を完全に開いた状態を示した断面図である。
【図１２】この発明を鍵盤楽器に適用した実施形態３を示した断面図である。
【図１３】図１２に示された鍵盤楽器の要部を示した拡大断面図である。
【図１４】図１３に示された鍵盤楽器における連動歯車を示した拡大正面図である。
【図１５】図１２に示された鍵盤楽器において鍵盤蓋を完全に開いた状態を示した断面図である。
【発明を実施するための形態】
【００１４】
（実施形態１）
以下、図１〜図６を参照して、この発明を鍵盤楽器に適用した実施形態１について説明する。
この鍵盤楽器は、図１に示すように、楽器ケース１を備えている。この楽器ケース１は、脚部を兼ねる一対の側板２と、この一対の側板２間における上部側に設けられた底板３と、この底板３の前端部（図１では左端部）上に起立して設けられた前板４と、底板３の後端部（図１では右端部）上に起立して設けられた後板５とを備えている。
【００１５】
これにより、楽器ケース１は、上部が開放された箱形状に形成されている。この楽器ケース１の内部には、図１に示すように、鍵盤部６が設けられている。この鍵盤部６は、白鍵７ａおよび黒鍵７ｂを備え、これら白鍵７ａおよび黒鍵７ｂを鍵盤シャーシ（図示せず）上に上下方向に回転可能に取り付けた状態で多数配列した構成になっている。
【００１６】
また、この楽器ケース１の上部には、図１に示すように、鍵盤部６を開閉自在に覆う鍵盤蓋８が蓋開閉装置１０によって開閉可能に設けられている。この鍵盤蓋８は、蓋開閉装置１０によって上下方向に回転することにより、楽器ケース１の上部に配置されて楽器ケース１を閉じた際に鍵盤部６を覆い隠し、図６に示すように、楽器ケース１の後方（図６では右側）に少し傾いた状態で起立して楽器ケース１を開いた際に鍵盤部６を楽器ケース１の上方に露出させるように構成されている。
【００１７】
この鍵盤蓋８の蓋開閉装置１０は、図１および図２に示すように、鍵盤蓋８の下面に取り付けられたアーム部材１１と、このアーム部材１１に取り付けられて楽器ケース１内における側板２に回転自在に取り付けられた支持軸１２と、このアーム部材１１に取り付けられて支持軸１２を中心に鍵盤蓋８と共に回転する連動歯車１３と、楽器ケース１の底板３上に設けられた取付部材１４に取り付けられて鍵盤蓋８の開閉動作を制動するダンパー部材１５とを備えている。
【００１８】
これにより、鍵盤蓋８は、図１および図２に示すように、支持軸１２を中心に、アーム部材１１と共に上下方向に回転するように構成されている。この場合、アーム部材１１は、鍵盤蓋８の下面における後部（図２では右側部）に取り付けられて、楽器ケース１内の後部に上方から挿入するように構成されている。支持軸１２は、図１および図２に示すように、楽器ケース１内に挿入されたアーム部材１１の下部に取り付けられている。この支持軸１２は、楽器ケース１内の後部（図２では右側部）に位置する一対の側板２に回転自在に取り付けられ、これによりアーム部材１１が鍵盤蓋８と共に回転するように構成されている。
【００１９】
連動歯車１３は、図１および図２に示すように、支持軸１２を中心にアーム部材１１が鍵盤蓋８と共に回転する際に、鍵盤蓋８の開閉動作をダンパー部材１５に伝達するように構成されている。すなわち、この連動歯車１３は、図２および図３に示すように、全体がほぼ扇形状に形成され、その外周面に歯部１３ａが設けられた構成になっている。この場合、連動歯車１３は、図３に示すように、その歯部１３ａのピッチ円Ｐの中心Ｑから偏心した位置が支持軸１２に支持されるように構成されている。
【００２０】
すなわち、この連動歯車１３は、図３に示すように、そのピッチ円Ｐの半径をＲとしたとき、ピッチ円Ｐの中心Ｑからほぼ扇形状の中間に位置する歯部１３ａに向けて距離Ｓだけ偏心した位置が支持軸１２に支持されている。具体的には、この連動歯車１３は、全体がほぼ１３０度の開き角度のほぼ扇形状をなし、このほぼ扇形状の中心線Ｌに沿って距離Ｓだけピッチ円Ｐの中心Ｑから支持軸１２の位置がずれている。このため、連動歯車１３は、図３に示すように、中心線Ｌ上に位置する歯部１３ａから支持軸１２までの距離が最も短く、中心線Ｌの上下方向に位置する歯部１３ａから支持軸１２までの距離が徐々に長くなるように構成されている。
【００２１】
これにより、連動歯車１３は、図１および図２に示すように、鍵盤蓋８が閉じた状態のときに、ほぼ扇形状の上部側に位置する歯部１３ａがダンパー部材１５のダンパー歯車１５ａに噛み合い、この上部側に位置する歯部１３ａから支持軸１２までの距離が長くなることにより、連動歯車１３の回転速度を一定としたとき、ダンパー歯車１５ａの回転速度を速くするように構成されている。
【００２２】
また、この連動歯車１３は、図５に示すように、鍵盤蓋８が開閉途中の状態のときに、ほぼ扇形状の中間部に位置する歯部１３ａがダンパー部材１５のダンパー歯車１５ａに噛み合い、この中間部に位置する歯部１３ａから支持軸１２までの距離が短くなることにより、連動歯車１３の回転速度を一定としたとき、ダンパー歯車１５ａの回転速度を速くするように構成されている。
【００２３】
さらに、この連動歯車１３は、図６に示すように、鍵盤蓋８が完全に開いた状態のときに、ほぼ扇形状の下部側に位置する歯部１３ａがダンパー部材１５のダンパー歯車１５ａに噛み合い、この下部側に位置する歯部１３ａから支持軸１２までの距離が長くなることにより、連動歯車１３の回転速度を一定としたとき、ダンパー歯車１５ａの回転速度を速くするように構成されている。
【００２４】
一方、ダンパー部材１５は、図１および図２に示すように、連動歯車１３に噛み合うダンパー歯車１５ａを備えている。この場合、ダンパー部材１５は、図４（ａ）および図４（ｂ）に示すように、ハウジング１５ｂ内に回転軸（図示せず）が設けられ、この回転軸にオイルや摩擦部材（いずれも図示せず）によって負荷を加えることにより、制動機能を有するものであり、ハウジング１５ｂの外部に突出した回転軸にダンパー歯車１５ａが設けられた構成になっている。この場合、ハウジング１５ｂには、その上下部にガイド突起１５ｃがそれぞれ設けられている。
【００２５】
また、このダンパー部材１５は、図１および図２に示すように、ばね部材１６によってダンパー部材１５のダンパー歯車１５ａを連動歯車１３の歯部１３ａに噛み合わせる方向に付勢された状態で、楽器ケース１内の底板３上に設けられた取付部材１４に移動可能に取り付けられている。この場合、取付部材１４は、図２に示すように、ダンパー部材１５のダンパー歯車１５ａの中心が連動歯車１３の回転中心である支持軸１２とほぼ同じ高さになるように、ダンパー部材１５を保持するように構成されている。
【００２６】
すなわち、この取付部材１４には、図２および図４に示すように、ダンパー部材１５のハウジング１５ｂが移動可能に配置されるダンパー収納溝部１４ａが、連動歯車１３に対する接離方向に沿って設けられている。また、この取付部材１４におけるダンパー収納溝部１４ａの上下部に位置する箇所には、ハウジング１５ｂのガイド突起１５ｃを保持しながらガイドするダンパーガイド溝１４ｂが連動歯車１３に対する接離方向に沿って設けられている。さらに、この取付部材１４には、ばね部材１６を収容するばね収容溝部１４ｃがダンパー収納溝部１４ａに連続して設けられている。
【００２７】
ばね部材１６は、図１および図２に示すように、コイルばねであり、連動歯車１３と反対側に位置するダンパー部材１５の近傍における取付部材１４のばね収容溝部１４ｃ内に出没可能に設けられている。すなわち、このばね部材１６は、連動歯車１３の回転中心である支持軸１２と、ダンパー部材１５のダンパー歯車１５ａの中心とを結ぶ直線の延長線上に位置した状態で、その一端部（図２では右端部）がダンパー部材１５に当接し、他端部（図２では左端部）が取付部材１４のばね収容溝部１４ｃ内に配置されている。
【００２８】
これにより、このばね部材１６は、図２に示すように、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が、連動歯車１３の回転に応じて異なっていても、ダンパー部材１５を連動歯車１３に向けて押し付けて、ダンパー部材１５をダンパー収納溝部１４ａに沿って移動させることにより、ダンパー部材１５のダンパー歯車１５ａを連動歯車１３の歯部１３ａに常に噛み合わせるように構成されている。
【００２９】
次に、この鍵盤蓋８の蓋開閉装置１０の作用について説明する。
鍵盤蓋８を開いた状態から閉じる場合には、図６に示すように、鍵盤蓋８の先端部（図６では上端部）を手前側に引いて傾ける。このときには、連動歯車１３の下部側に位置する歯部１３ａがダンパー部材１５のダンパー歯車１５ａに噛み合っている。このため、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が長い。
【００３０】
このため、図６に示すように、連動歯車１３によってダンパー部材１５がばね部材１６のばね力に抗して押され、ダンパー部材１５のガイド突起１５ｃが取付部材１４のダンパーガイド溝１４ｂにガイドされながら、ダンパー部材１５のハウジング１５ｂが取付部材１４のダンパー収納溝部１４ａ内における連動歯車１３と反対側（図６では左側）の奥側（図６では左側に位置する部分）に押し込まれて配置されている。
【００３１】
この状態で、鍵盤蓋８の先端部（図６では上端部）を引き下げて鍵盤蓋８を閉じる方向に傾けると、鍵盤蓋８がアーム部材１１の支持軸１２を中心に反時計回りに回転する。すると、アーム部材１１に設けられた連動歯車１３も、鍵盤蓋８と共に支持軸１２を中心に反時計回りに回転し、これに伴ってダンパー部材１５のダンパー歯車１５ａが連動歯車１３の歯部１３ａに噛み合って回転する。
【００３２】
このときには、ダンパー部材１５によって連動歯車１３に負荷が加わっていることにより、連動歯車１３の回転が制動される。このため、鍵盤蓋８が閉じる方向に急激に回転することがない。また、このときには、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が徐々に短くなる。
【００３３】
このため、ダンパー部材１５は、ばね部材１６のばね力によって連動歯車１３側に押し出され、ダンパー歯車１５ａが連動歯車１３の歯部１３ａに常に噛み合って回転すると共に、ダンパー歯車１５ａの回転速度が徐々に遅くなる。これにより、ダンパー部材１５は、連動歯車１３に対する負荷が徐々に小さくなる。
【００３４】
すなわち、連動歯車１３の回転中心である支持軸１２から連動歯車１３の歯部１３ａまでの距離が徐々に短くなると、ダンパー歯車１５ａの回転速度が徐々に遅くなるので、ダンパー部材１５によるダンパー歯車１５ａの回転トルクが徐々に小さくなり、これに伴って連動歯車１３に対する負荷が徐々に小さくなる。このため、鍵盤蓋８を閉じる力が徐々に軽くなると共に、鍵盤蓋８の閉じる動作が徐々に速くなる。
【００３５】
そして、図５に示すように、鍵盤蓋８が約５０度の角度まで閉じた際には、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が最も短くなる。このときには、ダンパー部材１５のダンパー歯車１５ａの回転速度が最も遅くなる。このため、ダンパー部材１５によるダンパー歯車１５ａの回転トルクが最も小さくなり、これに伴って鍵盤蓋８を閉じる力が最も軽くなると共に、鍵盤蓋８の閉じる動作が最も速くなる。
【００３６】
この後、鍵盤蓋８が更に閉じるときには、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が徐々に長くなる。このため、ダンパー部材１５は、ばね部材１６のばね力に抗して連動歯車１３と反対側に徐々に押し込まれる。このときにも、ダンパー歯車１５ａは連動歯車１３の歯部１３ａに常に噛み合って回転すると共に、ダンパー歯車１５ａの回転速度が徐々に速くなる。
【００３７】
これにより、ダンパー部材１５は、連動歯車１３に対する負荷が徐々に大きくなる。すなわち、連動歯車１３の回転中心である支持軸１２から連動歯車１３の歯部１３ａまでの距離が徐々に長くなると、ダンパー歯車１５ａの回転速度が徐々に速くなるので、ダンパー部材１５によるダンパー歯車１５ａの回転トルクが徐々に大きくなり、これに伴って連動歯車１３に対する負荷が徐々に大きくなる。このため、鍵盤蓋８を閉じる力が徐々に重くなると共に、鍵盤蓋８の閉じる動作が徐々に遅くなる。
【００３８】
そして、図１および図２に示すように、鍵盤蓋８が完全に閉じる際には、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が最も長くなる。このときには、ダンパー部材１５のダンパー歯車１５ａの回転速度が最も速くなる。
【００３９】
このため、ダンパー部材１５によるダンパー歯車１５ａの回転トルクが最も大きくなり、これに伴って鍵盤蓋８を閉じる力が最も重くなると共に、鍵盤蓋８がゆっくり閉じる。これにより、鍵盤蓋８が完全に閉じる際に、鍵盤蓋８が急激に回転することがないので、使用者が鍵盤蓋８によって手や指を挟んで怪我をする危険性が少なく、安全に鍵盤蓋８を閉じることができる。なお、鍵盤蓋８を閉じた状態から開く際には、上述した動作と逆の動作を行って鍵盤蓋８を開くことができる。
【００４０】
このように、この鍵盤蓋８の蓋開閉装置１０によれば、楽器ケース１に鍵盤蓋８を回転可能に取り付ける支持軸１２を中心に鍵盤蓋８と共に回転する連動歯車１３を、その歯部１３ａのピッチ円Ｐの中心Ｑから偏心した位置で支持軸１２に支持し、鍵盤蓋８が閉じる途中の状態のときに支持軸１２から歯部１３ａまでの距離を短くし、鍵盤蓋８が閉じ終わるまでの状態のときに支持軸１２から歯部１３ａまでの距離を徐々に長くする構成であるから、鍵盤蓋８の開閉操作性が良く、安全に鍵盤蓋８を開閉することができる。
【００４１】
すなわち、この鍵盤蓋８の蓋開閉装置１０では、鍵盤蓋８を閉じる際に、ダンパー部材１５によって鍵盤蓋８の回転動作を制動することができると共に、鍵盤蓋８を開いた状態から閉じる途中の状態のときに、鍵盤蓋８に対するダンパー部材１５の制動力を弱めて鍵盤蓋８の閉じる力を軽くし、鍵盤蓋８を速く回転させることができ、鍵盤蓋８が閉じ終わる状態のときに、鍵盤蓋８に対するダンパー部材１５の制動力を徐々に強めて鍵盤蓋８を閉じる力を徐々に重くし、鍵盤蓋８をゆっくり回転させることができる。このため、鍵盤蓋８の開閉操作性が良く、鍵盤蓋８によって手や指を挟んで怪我をすることなく、安全に鍵盤蓋８を閉じることができる。
【００４２】
この場合、連動歯車１３は、円形状の一部からなるほぼ扇形状に形成され、ピッチ円Ｐの中心からほぼ扇形状の中間に位置する歯部１３ａに向けて偏った位置が支持軸１２に支持されていることにより、歯部１３ａから支持軸１２までの距離を鍵盤蓋８の開閉動作に応じて異ならせることができる。すなわち、連動歯車１３は、全体がほぼ１３０度の開き角度の扇形状をなし、その中心線Ｌに沿って距離Ｓだけピッチ円Ｐの中心Ｑから支持軸１２の位置がずれていることにより、中心線Ｌ上に位置する歯部１３ａから支持軸１２までの距離を最も短くすることができ、中心線Ｌの上下方向に位置する歯部１３ａから支持軸１２までの距離を徐々に長くすることができる。
【００４３】
このため、鍵盤蓋８を閉じる際には、その閉じ始めのときに、歯部１３ａから支持軸１２までの距離を長くすることができるので、ダンパー部材１５のダンパー歯車１５ａの回転速度を速くして、鍵盤蓋８に対するダンパー部材１５の制動力を強めることができる。また、鍵盤蓋８が閉じる途中の状態のときには、歯部１３ａから支持軸１２までの距離を短くすることができるので、ダンパー部材１５のダンパー歯車１５ａの回転速度を遅くして、鍵盤蓋８に対するダンパー部材１５の制動力を弱めることができる。
【００４４】
さらに、鍵盤蓋８が閉じ終わるときには、再び歯部１３ａから支持軸１２までの距離を徐々に長くすることができるので、ダンパー部材１５のダンパー歯車１５ａの回転速度を徐々に速くして、鍵盤蓋８に対するダンパー部材１５の制動力を徐々に強めることができる。このため、鍵盤蓋８の重量が重くても、鍵盤蓋８の開閉動作に応じて鍵盤蓋８の開閉力および開閉速度を変えることができ、これにより鍵盤蓋の開閉操作性が良く、安全に鍵盤蓋８を閉じることができる。
【００４５】
また、この鍵盤蓋８の蓋開閉装置１０では、ダンパー部材１５のダンパー歯車１５ａを連動歯車１３の歯部１３ａに弾力的に押し付けて噛み合わせるばね部材１６を備えているので、連動歯車１３の回転中心である支持軸１２の位置が連動歯車１３の中心線Ｌに沿って距離Ｓだけピッチ円Ｐの中心Ｑからずれていることにより、連動歯車１３とダンパー部材１５のダンパー歯車１５ａとの噛み合い位置が中心線Ｌに沿って移動しても、ばね部材１６のばね力によって連動歯車１３の歯部１３ａとダンパー部材１５のダンパー歯車１５ａとを確実に且つ良好に噛み合わせることができる。
【００４６】
この場合、ダンパー部材１５を楽器ケース１に対して取り付けるための取付部材１４には、ダンパー部材１５を連動歯車１３に対する接離方向に移動可能に保持しながらガイドするダンパー収納溝部１４ａおよびダンパーガイド溝１４ｂが設けられているので、ダンパー部材１５を中心線Ｌに沿って良好にガイドすることができ、これにより連動歯車１３とダンパー部材１５のダンパー歯車１５ａとの噛み合い位置が中心線Ｌに沿って移動しても、連動歯車１３の歯部１３ａとダンパー部材１５のダンパー歯車１５ａとを確実に且つ良好に噛み合わせることができる。
【００４７】
（実施形態２）
次に、図７〜図１１を参照して、この発明を鍵盤楽器に適用した実施形態２について説明する。なお、図１〜図６に示された実施形態１と同一部分には同一符号を付して説明する。
この鍵盤楽器は、図７に示すように、蓋開閉装置２０が実施形態１と異なる構成であり、これ以外は実施形態１とほぼ同じ構成になっている。
【００４８】
すなわち、この蓋開閉装置２０は、図７および図８に示すように、リンク部材２１によってダンパー部材１５を連動歯車１３に対する接離方向に移動可能にガイドするように構成されている。このリンク部材２１は、取付部材１４に設けられたばね部材１６と連動歯車１３との間に起立した状態で配置されている。
【００４９】
この場合、リンク部材２１は、図８に示すように、その下端部が取付部材１４の下部に取付軸２２によって回転自在に取り付けられ、図９（ａ）および図９（ｂ）に示すように、その上部にダンパー部材１５のハウジング１５ｂがビス２３によって取り付けられた構成になっている。これにより、リンク部材２１は、取付軸２２を中心にばね部材１６と連動歯車１３との間で揺動するように構成されている。
【００５０】
この場合にも、ダンパー部材１５は、実施形態１と同様、ハウジング１５ｂ内に回転軸（図示せず）が設けられ、この回転軸にオイルや摩擦部材（いずれも図示せず）によって負荷を加えることにより、制動機能を有するものであり、ハウジング１５ｂの外部に突出した回転軸にダンパー歯車１５ａが設けられた構成になっている。また、このダンパー部材１５は、図８に示すように、ばね部材１６のばね力によってリンク部材２１と共に連動歯車１３に向けて付勢されていることにより、ダンパー歯車１５ａが常に連動歯車１３に噛み合って連動歯車１３の回転を制動するように構成されている。
【００５１】
この連動歯車１３も、実施形態１と同様、全体がほぼ１３０度の開き角度のほぼ扇形状をなし、このほぼ扇形状の中心線Ｌに沿って距離Ｓだけピッチ円Ｐの中心Ｑから支持軸１２の位置がずれている。すなわち、この連動歯車１３は、実施形態１と同様、中心線Ｌ上に位置する歯部１３ａから支持軸１２までの距離が最も短く、中心線Ｌの上下方向に位置する歯部１３ａから支持軸１２までの距離が徐々に長くなるように構成されている。
【００５２】
次に、このような鍵盤蓋８の蓋開閉装置２０の作用について説明する。
この場合においても、鍵盤蓋８を閉じる際には、図１１に示すように、鍵盤蓋８の先端部（図１１では上端部）を手前側に引いて傾ける。このときには、図１１に示すように、連動歯車１３の下部側に位置する歯部１３ａがダンパー部材１５のダンパー歯車１５ａに噛み合っている。これにより、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が長い。
【００５３】
このため、図１１に示すように、連動歯車１３によってダンパー部材１５がばね部材１６のばね力に抗して押され、リンク部材２１が取付軸２２を中心に反時計回りに回転することにより、このリンク部材２１に取り付けられたダンパー部材１５が連動歯車１３と反対側（図１１では左側）に移動して配置されている。
【００５４】
この状態で、鍵盤蓋８の先端部（図１１では上端部）を引き下げて鍵盤蓋８を閉じる。このときには、鍵盤蓋８がアーム部材１１の支持軸１２を中心に反時計回りに回転する。すると、アーム部材１１に設けられた連動歯車１３も、鍵盤蓋８と共に支持軸１２を中心に反時計回りに回転し、これに伴ってダンパー部材１５のダンパー歯車１５ａが連動歯車１３の歯部１３ａに噛み合って回転する。
【００５５】
このときには、ダンパー部材１５によって連動歯車１３に負荷が加わっていることにより、連動歯車１３の回転が制動されるので、鍵盤蓋８が閉じる方向に急激に回転することがない。また、このときには、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が徐々に短くなる。
【００５６】
このため、ダンパー部材１５がばね部材１６のばね力によって徐々に押し出され、これに伴ってリンク部材２１が取付軸２２を中心に時計回りに徐々に回転し、ダンパー歯車１５ａを連動歯車１３の歯部１３ａに噛み合わせる。この状態で、連動歯車１３によってダンパー歯車１５ａが回転すると、連動歯車１３の回転中心である支持軸１２から連動歯車１３の歯部１３ａまでの距離が徐々に短くなるので、ダンパー歯車１５ａの回転速度が徐々に遅くなる。
【００５７】
これにより、ダンパー部材１５は、連動歯車１３に対する負荷が徐々に小さくなる。すなわち、ダンパー歯車１５ａの回転速度が徐々に遅くなると、実施形態１と同様、ダンパー部材１５によるダンパー歯車１５ａの回転トルクが徐々に小さくなり、これに伴って連動歯車１３に対する負荷が徐々に小さくなる。このため、鍵盤蓋８を閉じる力が徐々に軽くなると共に、鍵盤蓋８の閉じる動作が徐々に速くなる。
【００５８】
そして、図１０に示すように、鍵盤蓋８が約５０度の角度まで閉じた際には、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が最も短くなる。このときには、ダンパー部材１５がばね部材１６のばね力によって最も押し出され、これに伴ってリンク部材２１が取付軸２２を中心に時計回りに回転し、ダンパー歯車１５ａを連動歯車１３の歯部１３ａに噛み合わせる。
【００５９】
この状態で、連動歯車１３によってダンパー歯車１５ａが回転すると、連動歯車１３の回転中心である支持軸１２から連動歯車１３の歯部１３ａまでの距離が最も短くなるので、ダンパー部材１５のダンパー歯車１５ａの回転速度が最も遅くなる。このため、ダンパー部材１５によるダンパー歯車１５ａの回転トルクが最も小さくなり、これに伴って連動歯車１３に対する負荷が最も小さくなるので、鍵盤蓋８を閉じる力が最も軽くなると共に、鍵盤蓋８の閉じる速度が最も速くなる。
【００６０】
この後、鍵盤蓋８が更に閉じるときには、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が徐々に長くなる。このため、ダンパー部材１５は、ばね部材１６のばね力に抗して連動歯車１３と反対側に押され、これに伴ってリンク部材２１が取付軸２２を中心に反時計回りに回転し、ダンパー歯車１５ａを連動歯車１３の歯部１３ａに噛み合わせた状態を維持する。
【００６１】
このときにも、ダンパー歯車１５ａは連動歯車１３の歯部１３ａに常に噛み合って回転すると共に、連動歯車１３の回転中心である支持軸１２から連動歯車１３の歯部１３ａまでの距離が徐々に長くなるので、ダンパー歯車１５ａの回転速度が徐々に速くなる。これにより、実施形態１と同様、ダンパー部材１５によるダンパー歯車１５ａの回転トルクが徐々に大きくなり、これに伴って連動歯車１３に対する負荷が徐々に大きくなる。このため、鍵盤蓋８を閉じる力が徐々に重くなると共に、鍵盤蓋８の閉じる速度が徐々に遅くなる。
【００６２】
そして、図７および図８に示すように、鍵盤蓋８が完全に閉じる際には、連動歯車１３の回転中心である支持軸１２と、ダンパー部材１５のダンパー歯車１５ａの中心とを結ぶ直線上において、連動歯車１３の回転中心である支持軸１２から連動歯車１３の歯部１３ａまでの距離が最も長くなり、ダンパー部材１５のダンパー歯車１５ａの回転速度が最も速くなる。
【００６３】
このため、ダンパー部材１５によるダンパー歯車１５ａの回転トルクが最も大きくなり、これに伴って鍵盤蓋８を閉じる力が最も重くなると共に、鍵盤蓋８がゆっくり回転して閉じる。これにより、鍵盤蓋８が完全に閉じる際には、実施形態１と同様、鍵盤蓋８が急激に回転することがないので、使用者が鍵盤蓋８によって手や指を挟んで怪我をする危険性が少なく、安全に鍵盤蓋８を閉じることができる。なお、鍵盤蓋８を閉じた状態から開く際には、上述した動作と逆の動作を行って鍵盤蓋８を開くことができる。
【００６４】
このように、この鍵盤蓋８の蓋開閉装置２０においても、実施形態１と同様、楽器ケース１に鍵盤蓋８を回転可能に取り付ける支持軸１２を中心に鍵盤蓋８と共に回転する連動歯車１３を、その歯部のピッチ円Ｐの中心Ｑから偏心した位置で支持軸１２に支持し、鍵盤蓋８が閉じる途中の状態のときに支持軸１２から歯部１３ａまでの距離を短くし、鍵盤蓋８が閉じ終わるまでの状態のときに支持軸１２から歯部１３ａまでの距離を徐々に長くする構成であるから、鍵盤蓋８の開閉操作性が良く、安全に鍵盤蓋８を開閉することができる。
【００６５】
この場合、取付部材１４には、連動歯車１３に対する接離方向に揺動するリンク部材２１が、取付軸２２によって回転自在に取り付けられ、このリンク部材２１に、ダンパー部材１５が取り付けられているので、連動歯車１３の回転中心である支持軸１２と、ダンパー部材１５のダンパー歯車１５ａの中心とを結ぶ直線上に沿って、ダンパー部材１５のダンパー歯車１５ａを良好に移動させることができ、これにより連動歯車１３の歯部１３ａとダンパー歯車１５ａとを確実に且つ良好に噛み合わせることができる。
【００６６】
すなわち、連動歯車１３の回転中心である支持軸１２の位置が、連動歯車１３の中心線Ｌに沿って距離Ｓだけピッチ円Ｐの中心Ｑからずれていることにより、連動歯車１３の歯部１３ａとダンパー部材１５のダンパー歯車１５ａとの噛み合い位置が中心線Ｌに沿って移動しても、ばね部材１６のばね力によってダンパー部材１５が連動歯車１３に向けて押されると、リンク部材２１が取付軸２２を中心に回転し、連動歯車１３の歯部１３ａとダンパー歯車１５ａとを確実に且つ良好に噛み合わせることができる。
【００６７】
なお、上述した実施形態１、２では、ほぼ扇形状の連動歯車１３の回転中心である支持軸１２の位置が、ほぼ扇形状の中心線Ｌに沿って距離Ｓだけ歯部１３ａに向けて偏っている場合について述べたが、これに限らず、例えば、支持軸１２の位置は、必ずしもほぼ扇形状の中心線Ｌに沿って偏っている必要はなく、ほぼ扇形状の連動歯車１３の下部側に位置する歯部１３ａに向けて距離Ｓだけ偏っている構成でも良い。このように構成すれば、鍵盤蓋８を閉じるときに、支持軸１２から歯部１３ａまでの距離を徐々に長くすることができ、これにより鍵盤蓋８の閉じる動作を徐々に遅くすることができる。
【００６８】
（実施形態３）
次に、図１２〜図１５を参照して、この発明を鍵盤楽器に適用した実施形態３について説明する。この場合にも、図１〜図６に示された実施形態１と同一部分に同一符号を付して説明する。
この鍵盤楽器は、図１２〜図１４に示すように、蓋開閉装置３０の連動歯車３１が実施形態１と異なる構成であり、これ以外は実施形態１とほぼ同じ構成になっている。
【００６９】
すなわち、この蓋開閉装置３０の連動歯車３１は、図１４に示すように、全体がほぼ渦巻き状の一部からなるほぼ扇形状に形成され、その渦巻き状の外周に沿って歯部３１ａが形成された構成になっている。この場合、連動歯車３１は、図１４に示すように、その歯部３１ａの渦巻き状のピッチ円Ｐ１の中心Ｑ１から小径側に位置する歯部３１ａに向けて偏心した位置が支持軸１２に支持されている。
【００７０】
具体的には、この連動歯車３１は、図１４に示すように、全体がほぼ１３０度の開き角度のほぼ扇形状をなし、このほぼ扇形状の中心線Ｌに沿って距離Ｓだけ渦巻き状のピッチ円Ｐ１の中心Ｑ１から支持軸１２の位置がずれている。このため、連動歯車３１は、図１４に示すように、ほぼ扇形状の上部側に位置する歯部３１ａからその下部側に位置する歯部３１ａに亘って支持軸１２までの距離が徐々に短くなるように構成されている。
【００７１】
これにより、この連動歯車３１は、鍵盤蓋８が開いた状態のときに、ほぼ扇形状の下部側に位置する歯部３１ａがダンパー部材１５のダンパー歯車１５ａに噛み合い、この下部側に位置する歯部３１ａから支持軸１２までの距離が最も短くなることにより、連動歯車３１の回転速度を一定としたとき、ダンパー歯車１５ａを最も遅い回転速度で回転させて、ダンパー部材１５による制動力を最も弱めるように構成されている。
【００７２】
また、この連動歯車３１は、鍵盤蓋８が開いた状態から閉じるときに、ダンパー部材１５のダンパー歯車１５ａに噛み合う歯部３１ａが、ほぼ扇形状の下部側に位置する歯部３１ａからその上部側に位置する歯部３１ａに移動して、支持軸１２から歯部３１ａまでの距離が徐々に長くなることにより、連動歯車３１の回転速度を一定としたとき、ダンパー歯車１５ａを徐々に速い回転速度で回転させて、ダンパー部材１５による制動力を徐々に強めるように構成されている。
【００７３】
次に、このような鍵盤蓋８の蓋開閉装置３０の作用について説明する。
この場合においても、鍵盤蓋８を閉じる際には、図１５に示すように、鍵盤蓋８の先端部（図１５では上端部）を手前側に引いて傾ける。このときには、図１５に示すように、連動歯車３１の下部側に位置する歯部３１ａがダンパー部材１５のダンパー歯車１５ａに噛み合っている。これにより、連動歯車３１の回転中心である支持軸１２と、ダンパー部材１５のダンパー歯車１５ａの中心とを結ぶ直線上において、連動歯車３１の回転中心である支持軸１２から連動歯車３１の歯部３１ａまでの距離が短い。
【００７４】
このため、図１５に示すように、ダンパー部材１５は、ばね部材１６のばね力によって連動歯車３１側に押し出され、ダンパー部材１５のダンパー歯車１５ａが連動歯車３１の歯部３１ａに噛み合っている。この状態で、鍵盤蓋８の先端部（図１５では上端部）を引き下げて鍵盤蓋８を閉じると、鍵盤蓋８がアーム部材１１の支持軸１２を中心に反時計回りに回転し、アーム部材１１に設けられた連動歯車３１も、鍵盤蓋８と共に支持軸１２を中心に反時計回りに回転する。これに伴って、ダンパー部材１５のダンパー歯車１５ａが連動歯車３１の歯部３１ａに噛み合って回転する。
【００７５】
このときには、ダンパー部材１５によって連動歯車３１に負荷が加わっていることにより、連動歯車３１の回転が制動されるので、鍵盤蓋８が閉じる方向に急激に回転することがない。また、このときには、連動歯車３１の回転中心である支持軸１２と、ダンパー部材１５のダンパー歯車１５ａの中心とを結ぶ直線上において、連動歯車３１の回転中心である支持軸１２から連動歯車３１の歯部３１ａまでの距離が徐々に長くなる。このため、ダンパー部材１５は、ばね部材１６のばね力に抗して連動歯車３１と反対側に押される。
【００７６】
このときにも、ダンパー歯車１５ａは連動歯車３１の歯部３１ａに常に噛み合って回転すると共に、ダンパー歯車１５ａの回転速度が徐々に速くなる。これにより、実施形態１と同様、ダンパー部材１５によるダンパー歯車１５ａの回転トルクが徐々に大きくなり、連動歯車３１に対する負荷が徐々に大きくなる。このため、鍵盤蓋８を閉じる力が徐々に重くなると共に、鍵盤蓋８の閉じる速度が徐々に遅くなる。
【００７７】
そして、図１２および図１３に示すように、鍵盤蓋８が完全に閉じる際には、連動歯車３１の回転中心である支持軸１２と、ダンパー部材１５のダンパー歯車１５ａの中心とを結ぶ直線上において、連動歯車３１の回転中心である支持軸１２から連動歯車３１の歯部３１ａまでの距離が最も長くなり、ダンパー部材１５のダンパー歯車１５ａの回転速度が最も速くなる。
【００７８】
このため、ダンパー部材１５によるダンパー歯車１５ａの回転トルクが最も大きくなり、これに伴って鍵盤蓋８を閉じる力が最も重くなると共に、鍵盤蓋８がゆっくり回転して閉じる。これにより、鍵盤蓋８が完全に閉じる際には、実施形態１と同様、鍵盤蓋８が急激に回転することがないので、使用者が鍵盤蓋８によって手や指を挟んで怪我をする危険性が少なく、安全に鍵盤蓋８を閉じることができる。なお、鍵盤蓋８を閉じた状態から開く際には、上述した動作と逆の動作を行って鍵盤蓋８を開くことができる。
【００７９】
このように、この鍵盤蓋８の蓋開閉装置３０においても、実施形態１と同様、楽器ケース１に鍵盤蓋８を回転可能に取り付ける支持軸１２を中心に鍵盤蓋８と共に回転する連動歯車３１を、その歯部３１ａのピッチ円Ｐ１の中心Ｑ１から偏心した位置で支持軸１２に支持し、鍵盤蓋８が閉じる途中の状態のときに支持軸１２から歯部３１ａまでの距離を短くし、鍵盤蓋８が閉じ終わるまでの状態のときに支持軸１２から歯部３１ａまでの距離を徐々に長くする構成であるから、鍵盤蓋８の開閉操作性が良く、安全に鍵盤蓋８を開閉することができる。
【００８０】
すなわち、この鍵盤蓋８の蓋開閉装置３０では、鍵盤蓋８を閉じる際に、ダンパー部材１５によって鍵盤蓋８の回転動作を制動することができると共に、鍵盤蓋８を開いた状態から閉じるときに、鍵盤蓋８に対するダンパー部材１５の制動力を徐々に強めて鍵盤蓋８を閉じる力を徐々に重くし、鍵盤蓋８をゆっくり回転させることができる。このため、鍵盤蓋８の開閉操作性が良く、鍵盤蓋８によって手や指を挟んで怪我をすることなく、安全に鍵盤蓋８を閉じることができる。
【００８１】
この場合、連動歯車３１は、渦巻き状の一部からなるほぼ扇形状に形成され、ピッチ円Ｐ１の中心Ｑ１から小径側に位置する歯部３１ａに向けて偏った位置が支持軸１２に支持されていることにより、歯部３１ａから支持軸１２までの距離を鍵盤蓋８の開閉動作に応じて異ならせることができる。すなわち、連動歯車３１は、全体がほぼ１３０度の開き角度の扇形状をなし、その中心線Ｌに沿って距離Ｓだけピッチ円Ｐ１の中心Ｑ１から支持軸１２の位置がずれていることにより、中心線Ｌの下側に位置する歯部３１ａから中心線Ｌの上側に位置する歯部３１ａに亘って支持軸１２までの距離を徐々に長くすることができる。
【００８２】
このため、鍵盤蓋８を閉じる際には、その閉じ始めから閉じ終わりまでに亘って、連動歯車３１がダンパー部材１５のダンパー歯車１５ａの回転速度を徐々に速くして、鍵盤蓋８に対するダンパー部材１５の制動力を徐々に強めることができる。これにより、鍵盤蓋８を閉じる力を徐々に重くして、鍵盤蓋８の閉じる動作を徐々に遅くすることができるので、鍵盤蓋８の開閉操作性が良く、鍵盤蓋８によって手や指を挟んで怪我をすることなく、安全に鍵盤蓋８を閉じることができる。
【００８３】
なお、上述した実施形態１〜３では、ダンパー部材を連動歯車１３、３１に向けて付勢する付勢部材として、コイルばねからなるばね部材１６を用いた場合について述べたが、これに限らず、ばね部材１６は板ばねであっても良く、またばね部材に限らず、ゴムなどの弾性部材であっても良い。
【００８４】
また、上述した実施形態１〜３では、鍵盤楽器の鍵盤蓋８に適用した場合について述べたが、必ずしも鍵盤楽器の鍵盤蓋８である必要はなく、例えば音響機器などの各種の電子機器の蓋体にも広く適用することができる。
【符号の説明】
【００８５】
１  楽器ケース
６  鍵盤部
８  鍵盤蓋
１０、２０、３０  蓋開閉装置
１１  アーム部材
１２  支持軸
１３、３１  連動歯車
１３ａ、３１ａ  連動歯車の歯部
１４  取付部材
１５  ダンパー部材
１５ａ  ダンパー歯車
１６  ばね部材
Ｐ、Ｐ１  ピッチ円
Ｑ、Ｑ１  ピッチ円の中心
Ｓ  ピッチ円の中心から支持軸までの距離
Ｌ  連動歯車の中心線
【図１】
0005610130.tif 000002
【図２】
0005610130.tif 000003
【図３】
0005610130.tif 000004
【図４】
0005610130.tif 000005
【図５】
0005610130.tif 000006
【図６】
0005610130.tif 000007
【図７】
0005610130.tif 000008
【図８】
0005610130.tif 000009
【図９】
0005610130.tif 000010
【図１０】
0005610130.tif 000011
【図１１】
0005610130.tif 000012
【図１２】
0005610130.tif 000013
【図１３】
0005610130.tif 000014
【図１４】
0005610130.tif 000015
【図１５】
0005610130.tif 000016